(57)【特許請求の範囲】
【請求項１】
使用姿勢の人体にマイナスイオンを供給するマイナスイオン供給装置を備えて成るマッサージ機であって、座部の裏面側に上記マイナスイオン供給装置を組み込み、マイナスイオン供給装置にて生成されたマイナスイオンを座部に形成した通気口へと導通可能に配管し、上記通気口に接続したホース状のダクトの先端の開口部を座部に設けた肘掛け部の前方上方に配置し、上記ダクトを介して非使用時の座部及び背もたれ部に対してマイナスイオンを供給することを特徴とするマッサージ機。
【請求項２】
マイナスイオン供給装置は、マイナスイオンを噴射する送風装置を備えて成ることを特徴とする請求項１記載のマッサージ機。
【請求項３】
送風装置は、風量を切り換える手段を備えて成ることを特徴とする請求項２記載のマッサージ機。
【請求項４】
マイナスイオン供給装置は、マイナスイオンの量を変更する手段を備えて成ることを特徴とする請求項１記載のマッサージ機。
【請求項５】
使用者が着座してマッサージを施す部分にプラスに帯電する素材を使用したことを特徴とする請求項１記載のマッサージ機。
【発明の詳細な説明】
【０００１】
【発明の属する技術分野】
本発明は、マッサージ機に関し、詳しくは、外的なマッサージ効果に加えてマイナスイオンによる心身的な気持ちの良さを加味することで、マッサージ効果を高めようとする技術に係るものである。
【０００２】
【従来の技術】
従来、例えば、椅子型のマッサージ機においては、人体に外的刺激を与えることにより、血行促進・疲労回復・体質改善を図るものである。
【０００３】
ところで、血行促進・疲労回復・体質改善を図るという点ではマッサージによる外的刺激で充分に効果があるが、マッサージをおこなう際の周囲空気環境の違いにより、所望のマッサージ効果もしくは求められるリラックス度が得られないことがある。
【０００４】
【発明が解決しようとする課題】
そこで、マッサージ施療時の周囲空気環境を良好とするために、例えば、マイナスイオン発生装置をマッサージ施療室に設置することが考えられるが、別置のマイナスイオン発生装置においては、マッサージ施療時の周囲空気環境を安定的に高め難く、結果として、外的なマッサージ効果にマイナスイオンによる心身的な気持ちの良さを加えた良好で安定したマッサージ効果を得ることができないという問題がある。
【０００５】
本発明はこのような問題に鑑みてなされたものであり、外的なマッサージ効果に加えてマイナスイオンによる心身的な気持ちの良さを加味することで、マッサージ効果を高めることができるマッサージ機を提供することを課題とするものである。
【０００６】
【課題を解決するための手段】
請求項１の発明においては、使用姿勢の人体Ｐにマイナスイオンを供給するマイナスイオン供給装置１を備えているマッサージ機であって、座部７の裏面側に上記マイナスイオン供給装置１を組み込み、マイナスイオン供給装置１にて生成されたマイナスイオンを座部７に形成した通気口１３へと導通可能に配管し、上記通気口１３に接続したホース状のダクト１４の先端の開口部を座部７に設けた肘掛け部１０の前方上方に配置し、上記ダクト１４を介して非使用時の座部７及び背もたれ部９に対してマイナスイオンを供給することを特徴とするものである。
【０００７】
このような構成によれば、外的刺激によるマッサージの身体的なリラックス効果に加えて、座部７の裏面側に組み込んだマイナスイオン供給装置１からのマイナスイオンが座部７の通気口に取り付けたホース状のダクト１４を介して非使用時の座部７及び背もたれ部９に対して供給されることで、座部７及びその近傍の脱臭を図ることができ、マッサージ機のメンテナンスが軽減される。
【０００８】
請求項２の発明においては、マイナスイオン供給装置１は、マイナスイオンを噴射する送風装置２を備えていることを特徴とするものである。このような構成によれば、マイナスイオン供給装置１において発生されたマイナスイオンは送風装置２によって、一層、使用者に良好に供給することができ、マイナスイオンに起因する効果を高めやすい。
【０００９】
請求項３の発明においては、送風装置２は、風量を切り換える手段を備えていることを特徴とするものである。このような構成によれば、送風装置２の風量を切り換えることによって、吹き付けによりマイナスイオンを供給する距離を変更することができ、例えば、マッサージ椅子の背もたれ部の倒れ方による吹き付け対象までの距離を所定どおりに正しく変更することができ、例えば、背もたれ部が終端にまで大きく倒れているときにもマイナスイオンを人体Ｐに充分に吹き付けることができ、マイナスイオンの供給を、一層、確実におこなうことができる。
【００１０】
請求項４の発明においては、マイナスイオン供給装置１は、マイナスイオンの量を変更する手段を備えていることを特徴とするものである。このような構成によれば、マイナスイオンの量を好みに変更することができ、マイナスイオンに起因する効果を高めながら、例えば、コロナ放電によるマイナスイオンの形成時の副産物としてのオゾンの量を調整でき、オゾンに起因する匂いを調整することができる。
【００１１】
請求項５の発明においては、使用者が着座してマッサージを施す部分にプラスに帯電する素材を使用したことを特徴とするものである。このような構成によれば、着座に伴ってマイナスイオンの供給が促進され、一層、マイナスイオンに起因する効果を高めることができる。
【００１２】
【発明の実施の形態】
以下、本発明の実施の形態を説明する。図１は概略側面図である。ここで図１〜図７は本発明の基本構成の説明図である。
【００１３】
マッサージ機Ａは、座部７に背もたれ部９をリクライニング自在に連ね、座部７には肘掛け部１０を設け、座部７及び背もたれ部９に内蔵の施療子（図示せず）を駆動移動させて施療子による揉み、押し等の外的刺激によるマッサージをおこなう椅子型のものである。
【００１４】
肘掛け部１０にマイナスイオン供給装置１を取付けている。マイナスイオン供給装置１は、針電極、グランド電極及び高電圧発生装置（図示せず）等から構成している既存のマイナスイオン発生装置を備え、コロナ放電によって形成されたマイナスイオンを供給（放出）するものであり、送風装置を内蔵して送風によってマイナスイオンを人体Ｐに安定的に供給（噴射）するようにしてもよい。本基本構成においては、送風装置はなくてもよく、この場合、マイナスイオン発生装置において形成したマイナスイオンの周知の電子なだれ現象を利用して供給するようにしてもよい。
【００１５】
このように、本発明のマッサージ機Ａには、使用姿勢の人体Ｐにマイナスイオンを供給するマイナスイオン供給装置１を備えていて、施療子による外的刺激のマッサージによる身体的なリラックス効果に加えて、備え付けのマイナスイオン供給装置１からのマイナスイオンが使用者に向けて安定的に供給され、マイナスイオンを体内に良好に吸収することができ、身体の血中酸素が増加し、身体の酸素利用が向上し、疲労を回復し、自律神経においては機能を沈静化させる等のさまざまな身体内部に対するマイナスイオンに起因する良好な作用を得ることができるのであり、このように、マッサージの外的効果及び安定的な内的効果の相乗により、心身共の所望のリラックス度を確実に得ることができるのである。
【００１６】
この場合、マイナスイオン供給装置１は図２に示す基本構成では、背もたれ部９の上端部に設置している。
【００１７】
本発明の他の基本構成を図３に示す。図３に示すように、座部７の裏面側にマイナスイオン供給装置１を組み込み、生成されたマイナスイオンを座部７に形成した通気口１３へと導通可能に配管し、通気口１３にホース状のダクト１４を接続して人体Ｐにマイナスイオンを供給するようにした。
【００１８】
図４は更に他の基本構成を示し、但し、本基本構成は上記基本構成と共通であり、共通する部分には同一の符号を付して説明は省略する。
【００１９】
本基本構成においては、イオン供給装置１の後部に送風装置２を配設してマイナスイオン供給装置１において発生されたマイナスイオンは送風装置２によって、一層、使用者に良好に供給することができ、マイナスイオンに起因する効果を高めやすくなるものである。
【００２０】
図５は更に他の基本構成を示し、本基本構成におけるマイナスイオン供給装置１においては、針電極１１、針電極１１と対極となるグランド電極１２及び高電圧発生装置（図示せず）等から構成しているマイナスイオン発生装置を備え、コロナ放電によって形成されたマイナスイオンを供給するのであるが、この場合、電子なだれが起きる際の対極となるグランド電極１２に帰りきらないものが矢印Ｂの方向に向かって流れ出てくるようにしたものであり、これがマイナスイオンを形成するのである。従って、送風装置２を備えないものであっても指向性をもってマイナスイオンの供給が可能になる。又、電子なだれが起きる量を変更することで、マイナスイオンの量を変更することができるのであり、マイナスイオンの量を好みに変更することができ、マイナスイオンに起因する効果を高め、例えば、コロナ放電によるマイナスイオンの形成時の副産物としてのオゾンの量を調整でき、オゾンに起因する匂いを調整することができる。
【００２１】
図６はマッサージ機Ａの背もたれ部９を起立している場合と倒している場合の人体Ｐの頭部へのマイナスイオンの到達量の変化を示していて、背もたれ部９を起立させている場合には、頭部へのマイナスイオンの到達量が少なく（図３（ｃ）のイ参照）、背もたれ部９を倒している場合の方が頭部へのマイナスイオンの到達量が多くなるのであり（図３（ｃ）のロ参照）、背もたれ部９を起立させていても、内蔵の送風装置２において切り換えスイッチ（図示せず）の切り換えによってファンの回転数を増して風量を増大することで、頭部へのマイナスイオンの到達量を多くできる（図３（ｃ）ハ参照）のである。このように風量の切り換えによって、頭部がどの位置にあってもマイナスイオンの供給量を等しくできる（図３（ｃ）ニ参照）。ところで、風量の切り換え変更は、送風装置２のファンの回転数の変更等にて容易におこなうことができる。
【００２２】
このように、送風装置２は、風量を切り換える手段を備えていて、送風装置２の風量を切り換えることによって、マイナスイオンを吹き付けによって供給する距離を切り換えることができ、椅子型のマッサージ機Ａの背もたれ部９の倒れ方による吹き付け対象までの距離を正しく変更することができ、例えば、背もたれ部９が終端にまで大きく倒れているときにもマイナスイオンを人体Ｐに充分に吹き付けることができ、マイナスイオンの供給を、一層、確実におこなうことができる。
【００２３】
図７は更に他の基本構成を示し、但し、本基本構成は上記基本構成と共通であり、共通する部分には同一の符号を付して説明は省略する。
【００２４】
本基本構成においては、使用者の着座に伴ってマイナスイオンの供給が促進される手段を備えているものである。具体的には、着座してマッサージを施す部分にプラスに帯電する素材（例えば布地）を使用するのであり、着座してマッサージをおこなうことで、図７（ｂ）に示すように、背もたれ部９がマッサージ作用による施療子による摩擦によってプラスに帯電するのであり、マイナスイオン供給装置１からの多くのマイナスイオンはプラスに帯電している箇所へ流れようとするが、中間に人体Ｐが存在していて、マイナスイオンが人体Ｐに触れる量が多くなって吸着が促進されるのである。このように、着座に伴ってマイナスイオンの供給が促進され、一層、マイナスイオンに起因する効果を高めることができる。
【００２５】
図８は参考例を示し、但し、本参考例は上記基本構成と共通であり、共通する部分には同一の符号を付して説明は省略する。
【００２６】
本参考例においては、マイナスイオンを供給する方向を切り換える手段を備えているものである。具体的には、図８（ｂ）（ｃ）に示すように、肘掛け部１０から延出されているステー１５にボールジョイント１６を介してマイナスイオン供給装置１を回転自在に取付けたものであり、セットネジ１７、１７によってマイナスイオン供給装置１の向きを固定するようにしたものであり、このように、マイナスイオンを供給する方向を切り換えることができるのである。マイナスイオン供給装置１の向きを切り換える構成は、例えば、図９に示すように、種々の曲がり状態を自在に保持することができるフレキシブルチューブ１８にマイナスイオン供給装置１を支持してもよく、又、他の周知な構成を採用することができる。
【００２７】
図１０は本発明の実施形態を示し、但し、本実施形態は上記基本構成と共通であり、共通する部分には同一の符号を付して説明は省略する。
【００２８】
本実施形態においては、非使用時の座部７及び背もたれ部９に対してマイナスイオンを供給する手段を備えているものである。具体的には、マイナスイオン供給装置１からのマイナスイオンをマッサージ機Ａの非使用時の座部７や背もたれ部９に吹き付けるようにしたものであり、非使用時の座部７や背もたれ部９に対してマイナスイオンを供給することで、座部７や背もたれ部９及びその近傍の脱臭を図ることができ、マッサージ機のメンテナンスが軽減されるのである。
【００２９】
【発明の効果】
請求項１の発明においては、使用姿勢の人体にマイナスイオンを供給するマイナスイオン供給装置を備えたマッサージ機であって、座部の裏面側に上記マイナスイオン供給装置を組み込み、マイナスイオン供給装置にて生成されたマイナスイオンを座部に形成した通気口へと導通可能に配管し、上記通気口に接続したホース状のダクトの先端の開口部を座部に設けた肘掛け部の前方上方に配置し、上記ダクトを介して非使用時の座部や背もたれ部に対してマイナスイオンを供給するから、座部や背もたれ部及びその近傍の脱臭を図ることができ、マッサージ機のメンテナンスが軽減されるという利点がある。
【００３０】
請求項２の発明においては、請求項１の効果に加えて、マイナスイオン供給装置は、マイナスイオンを噴射する送風装置を備えているから、マイナスイオン供給装置において発生されたマイナスイオンは送風装置によって、一層、使用者に良好に供給することができ、マイナスイオンに起因する効果を高めやすいという利点がある。
【００３１】
請求項３の発明においては、請求項２の効果に加えて、送風装置は、風量を切り換える手段を備えているから、送風装置の風量を切り換えることによって、吹き付けによりマイナスイオンを供給する距離を変更することができ、例えば、マッサージ椅子の背もたれ部の倒れ方による吹き付け対象までの距離を所定どおりに正しく変更することができ、例えば、背もたれ部が終端にまで大きく倒れているときにもマイナスイオンを人体に充分に吹き付けることができ、マイナスイオンの供給を、一層、確実におこなうことができるという利点がある。
【００３２】
請求項４の発明においては、請求項１の効果に加えて、マイナスイオン供給装置は、マイナスイオンの量を変更する手段を備えているから、マイナスイオンの量を好みに変更することができ、マイナスイオンに起因する効果を高めながら、例えば、コロナ放電によるマイナスイオンの形成時の副産物としてのオゾンの量を調整でき、オゾンに起因する匂いを調整することができるという利点がある。
【００３３】
請求項５の発明においては、請求項１の効果に加えて、使用者が着座してマッサージを施す部分にプラスに帯電する素材を使用したから、着座に伴ってマイナスイオンの供給が促進され、一層、マイナスイオンに起因する効果を高めることができるという利点がある。
【図面の簡単な説明】
【図１】  本発明の基本構成を示す概略側面図である。
【図２】  同上の他の基本構成の概略側面図である。
【図３】  本発明の他の基本構成の概略側面図である。
【図４】  同上の更に他の基本構成を示し、（ａ）は概略側面図、（ｂ）は説明図である。
【図５】  （ａ）は同上のマイナスイオンを形成する説明図、（ｂ）は印加電圧と電子なだれ数との関係を示すグラフである。
【図６】  同上の更に他の基本構成を示し、（ａ）（ｂ）は概略側面図、（ｃ）はマイナスイオンの到達状況を示すグラフである。
【図７】  同上の更に他の基本構成を示し、（ａ）は概略側面図、（ｂ）（ｃ）は説明図である。
【図８】  参考例を示し、（ａ）は概略側面図、（ｂ）は説明図、（ｃ）は概略断面図である。
【図９】  他の参考例を示し、（ａ）は概略側面図、（ｂ）は説明図である。
【図１０】  本発明の実施の一形態を示す概略側面図である。
【符号の説明】
１  マイナスイオン供給装置
２  送風装置
７  座部
９  背もたれ部
１３  通気口
１４  ダクト
【図１】
0004151305.tif 000002
【図２】
0004151305.tif 000003
【図３】
0004151305.tif 000004
【図４】
0004151305.tif 000005
【図５】
0004151305.tif 000006
【図６】
0004151305.tif 000007
【図７】
0004151305.tif 000008
【図８】
0004151305.tif 000009
【図９】
0004151305.tif 000010
【図１０】
0004151305.tif 000011